(57)【要約】      （修正有）【課題】生産性が高く、かつ箱体に容易に組立可能でありながら、胴膨れを抑止できる箱用シートを提供する。【解決手段】箱用シートは、１枚のシート材から形成され、左右方向に交互に連接され、四角筒状に組み立てられる一対の長さ面パネル１及び一対の幅面パネル２と、一対の長さ面パネル１の上縁から延出する一対の蓋外フラップ３と、一対の幅面パネル２の上縁から延出する一対の蓋内フラップ４と、一対の長さ面パネル１の下縁から延出する一対の底外フラップ５と、一対の幅面パネル２の下縁から延出する一対の底内フラップ６とを備え、箱型に組立可能な箱用シートであって、一対の長さ面パネル１が、その外面に座屈誘導部８を有し、座屈誘導部８が一対の長さ面パネル１の上下方向中央部に左右方向へ延びる中央座屈薄肉帯８ａを備える。【選択図】図１
0003223212.tif 000002
【実用新案登録請求の範囲】
【請求項１】
１枚のシート材から形成され、
左右方向に交互に連接され、四角筒状に組み立てられる一対の長さ面パネル及び一対の幅面パネルと、
上記一対の長さ面パネルの上縁から延出する一対の蓋外フラップと、
上記一対の幅面パネルの上縁から延出する一対の蓋内フラップと、
上記一対の長さ面パネルの下縁から延出する一対の底外フラップと、
上記一対の幅面パネルの下縁から延出する一対の底内フラップと
を備え、箱型に組立可能な箱用シートであって、
上記一対の長さ面パネルが、その外面に座屈誘導部を有し、
上記座屈誘導部が上記一対の長さ面パネルの上下方向中央部に左右方向へ延びる中央座屈誘導薄肉帯を備える箱用シート。
【請求項２】
上記中央座屈薄肉帯が上記長さ面パネルの両側縁に至っていない請求項１に記載の箱用シート。
【請求項３】
上記座屈誘導部が、上記一対の長さ面パネルの上縁又は下縁からの距離が等しい破線状の罫線からなる座屈誘導線をさらに備える請求項１又は請求項２に記載の箱用シート。
【請求項４】
上記座屈誘導部が、
上記中央座屈薄肉帯の両端から上方かつ左右方向外側に延びる一対の上側座屈薄肉帯と、
上記中央座屈薄肉帯の両端から下方かつ左右方向外側に延びる一対の下側座屈薄肉帯と
をさらに備える請求項１、請求項２又は請求項３に記載の箱用シート。
【請求項５】
上記上側座屈薄肉帯及び上記下側座屈薄肉帯が上記長さ面パネルの各頂点へ向かって延びており、
上記上側座屈薄肉帯及び上記下側座屈薄肉帯の先端と、その延伸方向にある上記長さ面パネルの頂点との距離が３０ｍｍ以上５０ｍｍ以下である請求項４に記載の箱用シート。
【考案の詳細な説明】
【技術分野】
【０００１】
本考案は、箱用シートに関する。
【背景技術】
【０００２】
ボトルや缶の梱包に段ボールシートを組み立ててなる箱体が広く用いられている。この段ボールシートとしては、左右方向に交互に連接され、一対の長さ面パネル及び一対の幅面パネルと、一対の長さ面パネルの上縁から延出する一対の蓋外フラップと、一対の幅面パネルの上縁から延出する一対の蓋内フラップとを備え、一対の長さ面パネル及び一対の幅面パネルを四角筒状に組み立てたうえ、一対の蓋内フラップを内側に折り曲げ、さらに一対の蓋外フラップを内側に折り曲げて蓋部を形成するものが広く採用されている。
【０００３】
このような箱体にボトルや缶を梱包した状態で、複数の箱体を積み重ねると、ボトルや缶等の梱包の重さ（荷重）により下方の箱体の長さ面パネルが外側に膨出する胴膨れ現象が生じる場合がある。胴膨れ現象が生じると、箱体が占める体積が増加し、箱体の保管に必要なスペースを増加させてしまう。そうすると、箱体の大きさに合わせて設計されている台車に積載できない等の不都合が生じるおそれがある。
【０００４】
このような胴膨れ現象を抑える箱体として、耐圧荷重を向上させた箱体が提案されている（特開２０１３−１９３７４４号公報参照）。この従来の箱体では、長さ面パネルと幅面パネルとのコーナー部分に多面構造を形成し、耐圧荷重を向上させることで、箱体の胴膨れを抑止している。
【先行技術文献】
【特許文献】
【０００５】
【特許文献１】特開２０１３−１９３７４４号公報
【考案の概要】
【０００６】
本考案の一態様に係る箱用シートは、１枚のシート材から形成され、左右方向に交互に連接され、四角筒状に組み立てられる一対の長さ面パネル及び一対の幅面パネルと、上記一対の長さ面パネルの上縁から延出する一対の蓋外フラップと、上記一対の幅面パネルの上縁から延出する一対の蓋内フラップと、上記一対の長さ面パネルの下縁から延出する一対の底外フラップと、上記一対の幅面パネルの下縁から延出する一対の底内フラップとを備え、箱型に組立可能な箱用シートであって、上記一対の長さ面パネルが、その外面に座屈誘導部を有し、上記座屈誘導部が上記一対の長さ面パネルの上下方向中央部に左右方向へ延びる中央座屈薄肉帯を備える。
【図面の簡単な説明】
【０００７】
【図１】図１は、本考案の一態様に係る箱用シートを示す模式的平面図（展開図）である。
【図２】図２は、図１の箱用シートを組み立てて得られる箱体を示す模式的斜視図である。
【図３】図３は、図２の箱体に荷重が加わった際の変形の様子を示す模式的断面図である。
【考案を実施するための形態】
【０００８】
［本考案が解決しようとする課題］
上記従来の箱体では、耐圧荷重を向上させるために多面構造を導入する必要がある。このため、このような箱体を構成するための箱用シートは、形状が複雑なものとなり、生産性が低下する。また、上記箱用シートから箱体を組み立てる際にも、コーナー部分に多面体構造を作成する必要があり、組み立て作業が煩雑化する。
【０００９】
本考案は、このような事情に鑑みてなされたものであり、生産性が高く、かつ箱体に容易に組立可能でありながら、胴膨れを抑止できる箱用シートの提供を課題とする。
【００１０】
［本考案の効果］
本考案の箱用シートは、生産性が高く、かつ箱体に容易に組立可能でありながら、胴膨れを抑止できる。
【００１１】
［本考案の実施形態の説明］
本考案者が、胴膨れ現象について鋭意検討した結果、上部から荷重が加わった際に箱体によっては、希に胴膨れする代わりに外面側が窪むように変形するものがあることに注目した。そして、荷重が加わった際に外面側が窪むように箱体の変形を誘導することで、胴膨れ現象の問題を回避できることを見出し、本考案を完成させた。
【００１２】
すなわち、本考案の一態様に係る箱用シートは、１枚のシート材から形成され、左右方向に交互に連接され、四角筒状に組み立てられる一対の長さ面パネル及び一対の幅面パネルと、上記一対の長さ面パネルの上縁から延出する一対の蓋外フラップと、上記一対の幅面パネルの上縁から延出する一対の蓋内フラップと、上記一対の長さ面パネルの下縁から延出する一対の底外フラップと、上記一対の幅面パネルの下縁から延出する一対の底内フラップとを備え、箱型に組立可能な箱用シートであって、上記一対の長さ面パネルが、その外面に座屈誘導部を有し、上記座屈誘導部が上記一対の長さ面パネルの上下方向中央部に左右方向へ延びる中央座屈薄肉帯を備える。
【００１３】
本考案の箱用シートは、一対の長さ面パネルがその外面に座屈誘導部を有し、この座屈誘導部が上記一対の長さ面パネルの上下方向中央部に左右方向へ延びる中央座屈薄肉帯を備える。上記中央座屈薄肉帯は、長さ面パネルの外面に左右方向に延びるように設けられているので、当該箱用シートを組立てなる箱体に上部から荷重が加わった際、上記長さ面パネルがこの中央座屈薄肉帯を折れ目として外面側が窪み内側へ凹むように曲がり易い。従って、当該箱用シートを組立てなる箱体は、胴膨れを抑止できる。また、当該箱用シートは、上記長さ面パネルに新たに中央座屈薄肉帯を設けることで構成できるので、箱用シート自体の形状を変えるものではなく、またその箱体への組立て方法を変えるものでもない。従って、当該箱用シートは、生産性が高く、かつ箱体に容易に組立可能である。
【００１４】
上記中央座屈薄肉帯が上記長さ面パネルの両側縁に至っていないとよい。このように上記中央座屈薄肉帯を上記長さ面パネルの両側縁に至らないようにすることで、組み立てられる箱体の胴膨れを抑止しつつ、耐圧荷重の低下を抑止できる。
【００１５】
上記座屈誘導部が、上記一対の長さ面パネルの上縁又は下縁からの距離が等しい破線状の罫線からなる座屈誘導線をさらに備えるとよい。このように上記座屈誘導部が上記座屈誘導線をさらに備えることで、箱体を均等に潰れやすくすることができるので、胴膨れの抑止効果が高められる。
【００１６】
上記座屈誘導部が、上記中央座屈薄肉帯の両端から上方かつ左右方向外側に延びる一対の上側座屈薄肉帯と、上記中央座屈薄肉帯の両端から下方かつ左右方向外側に延びる一対の下側座屈薄肉帯とをさらに備えるとよい。このように上記座屈誘導部が、上側座屈薄肉帯と下側座屈薄肉帯とをさらに備えることで、荷重が加わった際により確実に外面側が窪むように箱体を変形させることができるので、胴膨れの抑止効果が高められる。
【００１７】
上記上側座屈薄肉帯及び上記下側座屈薄肉帯が上記長さ面パネルの各頂点へ向かって延びているとよく、上記上側座屈薄肉帯及び上記下側座屈薄肉帯の先端と、その延伸方向にある上記長さ面パネルの頂点との距離としては、３０ｍｍ以上５０ｍｍ以下が好ましい。このように上側座屈薄肉帯及び上記下側座屈薄肉帯を構成することで、組み立てられる箱体の胴膨れを抑止しつつ、耐圧荷重の低下を抑止できる。
【００１８】
ここで、本明細書における「上」等の方向は、当該箱用シートを組み立ててなる箱体の想定される使用状態での方向である。また、「内」及び「外」は、それぞれ箱体の内側及び外側を指す。また、長さ面パネルの「上下方向中央部」とは、長さ面パネルの下方からの位置が長さ面パネルの上下方向の全長に対し１／３以上２／３以下となる領域を指す。
【００１９】
［本考案の実施形態の詳細］
以下、本考案の一実施形態に係る箱用シートについて適宜図面を参照しつつ説明する。
【００２０】
本考案の一実施形態に係る箱用シートは、図１に示すように、１枚のシート材から形成される。なお、図１において、太い実線はシート材を切断した切断線を示し、細い実線はシート材に筋押しして形成される罫線を示す。
【００２１】
当該箱用シートを形成するシート材としては、例えば段ボールシートを用いることができる。上記ダンボールシートとしては、１枚の中芯の両側を一対のライナーで挟み込んだものだけでなく、３枚のライナーの間にそれぞれ中芯が挟み込まれたいわゆるダブルフルートであってもよく、あるいは中芯の片側にのみライナーが貼着されたいわゆる片面段ボールであってもよい。
【００２２】
上記シート材の厚さの下限としては、強度の観点から、３ｍｍが好ましい。一方、シート材の厚さの上限としては、特に限定されないが、箱体への組立の容易性から８ｍｍが好ましい。
【００２３】
当該箱用シートは、左右方向（図１ではｘ方向）に交互に連接され、四角筒状に組み立てられる一対の長さ面パネル１及び一対の幅面パネル２と、一対の長さ面パネル１の上縁から延出する一対の蓋外フラップ３と、一対の幅面パネル２の上縁から延出する一対の蓋内フラップ４と、一対の長さ面パネル１の下縁から延出する一対の底外フラップ５と、一対の幅面パネル２の下縁から延出する一対の底内フラップ６と、一方の側端に配設される長さ面パネル１の側縁から延出する糊代部７を備える。また、一対の長さ面パネル１は、その外面に座屈誘導部８を有する。当該箱用シートは、箱型に組立可能であり、図２に示すような箱体に組み立てられる。
【００２４】
＜長さ面パネル及び幅面パネル＞
長さ面パネル１と幅面パネル２とは方形状である。また、一対の長さ面パネル１は同等の大きさとされ、一対の幅面パネル２は同等の大きさとされる。
【００２５】
長さ面パネル１の上下方向長さ（図１のｘ方向の長さ）と、幅面パネル２の上下方向長さとは等しい。また、長さ面パネル１の左右方向長さ（図１のｘ方向の長さ）は、幅面パネル２の左右方向長さ以上である。このように左右方向の長さが長い長さ面パネル１に後述する座屈誘導部８を設けることで、荷重が加わった際に外面側が窪むように箱体を変形し易くできる。
【００２６】
なお、長さ面パネル１及び幅面パネル２の上下方向長さ、長さ面パネル１の左右方向の長さ、並びに幅面パネル２の左右方向の長さは、当該箱用シートにより組み立てられる箱体に収容が想定される収容物の大きさや個数に対応できるように適宜決定される。
【００２７】
＜蓋外フラップ及び蓋内フラップ＞
一対の蓋外フラップ３及び一対の蓋内フラップ４は、上記箱体の蓋部を閉塞可能に構成されている。
【００２８】
蓋外フラップ３は、一対の蓋外フラップ３の先端縁同士を突き合わせ可能に構成され、蓋外フラップ３の延出方向長さ（図１のｘ方向の長さ）は、例えば幅面パネル２の左右方向の長さの１／２とされる。
【００２９】
一方、蓋内フラップ４の延出方向長さは、特に限定されないが、蓋外フラップ３の長さと同等とできる。
【００３０】
なお、蓋外フラップ３及び蓋内フラップ４の左右方向の長さ（図１のｘ方向の長さ）は、特に限定されないが、それぞれ延出する長さ面パネル１及び幅面パネル２の左右方向の長さと同等とすることが好ましい。
【００３１】
＜底外フラップ及び底内フラップ＞
一対の底外フラップ５及び一対の底内フラップ６は、上記箱体の底部を閉塞可能に構成されている。
【００３２】
上記箱体の底部を閉塞可能に構成されている点を除き、一対の底外フラップ５及び一対の底内フラップ６は、一対の蓋外フラップ３及び一対の蓋内フラップ４と同様に構成できるので、詳細説明を省略する。
【００３３】
＜糊代部＞
糊代部７は、一対の長さ面パネル１及び一対の幅面パネル２が連接されてなる帯状体の一方の側端に設けられている。糊代部７は、上記帯状体の他方の側端と当接可能に構成されている。この当接部分を糊代部７に貼着することで一対の長さ面パネル１及び一対の幅面パネル２を無端状とできる。あるいは、貼着に代えてワイヤー接合等により結合してもよい。
【００３４】
＜座屈誘導部＞
一対の長さ面パネル１が有する座屈誘導部８は、図１及び図２に示すように、一対の長さ面パネル１の上下方向中央部に左右方向へ延びる中央座屈薄肉帯８ａと、中央座屈薄肉帯８ａの両端から上方かつ左右方向外側に延びる一対の上側座屈薄肉帯８ｂと、中央座屈薄肉帯８ａの両端から下方かつ左右方向外側に延びる一対の下側座屈薄肉帯８ｃと、一対の長さ面パネル１の上縁からの距離が等しい破線状の罫線からなる座屈誘導線８ｄを備える。
【００３５】
中央座屈薄肉帯８ａ、上側座屈薄肉帯８ｂ及び下側座屈薄肉帯８ｃは、長さ面パネル１の外面側から筋押しして形成される罫線により構成することもできるが、例えば長さ面パネル１の外面側の潰し加工によって形成することもできる。一方、座屈誘導線８ｄは、長さ面パネル１の外面側から筋押しして形成される罫線により構成することができる。
【００３６】
上記潰し加工としては、例えば長さ面パネル１の外面に多重罫線（並列な複数の罫線）を形成する方法が挙げられる。このように薄肉帯（中央座屈薄肉帯８ａ、上側座屈薄肉帯８ｂ及び下側座屈薄肉帯８ｃ）を一定の幅を持つ潰し加工によって形成することで、よりスムーズに箱体の変形を誘導することができる。
【００３７】
上記潰し加工を行う場合、上記薄肉帯の平均幅の下限としては、５ｍｍが好ましく、１０ｍｍがより好ましい。一方、上記薄肉帯の平均幅の上限としては、２０ｍｍが好ましく、１５ｍｍがより好ましい。上記薄肉帯の平均幅が上記下限未満であると、潰し加工による箱体の変形誘導効果が十分に得られないおそれがある。逆に、上記薄肉帯の平均幅が上記上限を超えると、箱体の耐圧荷重が低下するおそれがある。
【００３８】
（中央座屈薄肉帯）
中央座屈薄肉帯８ａは、長さ面パネル１の上辺及び下辺に平行な直線状とすることが好ましい。中央座屈薄肉帯８ａを直線状とすることで、荷重が加わった際に後述する座屈誘導部８により外面側が窪むように箱体を変形し易くできる。
【００３９】
また、中央座屈薄肉帯８ａは、長さ面パネル１の両側縁に至っていないとよい。このように中央座屈薄肉帯８ａを長さ面パネル１の両側縁に至らないようにすることで、長さ面パネル１の両側縁部が柱として機能するので、組み立てられる箱体の胴膨れを抑止しつつ、耐圧荷重の低下を抑止できる。
【００４０】
中央座屈薄肉帯８ａの長さ（中央座屈薄肉帯８ａ両端間の長さ面パネル１の左右方向の距離）の下限としては、長さ面パネル１の左右方向長さの５０％が好ましく、６０％がより好ましい。一方、中央座屈薄肉帯８ａの長さの上限としては、長さ面パネル１の左右方向長さの９０％が好ましく、８０％がより好ましい。中央座屈薄肉帯８ａの長さが上記下限未満であると、箱体に荷重が加わった際に外面側が窪むように箱体が変形せず、胴膨れ抑止効果が不十分となるおそれがある。逆に、中央座屈薄肉帯８ａの長さが上記上限を超えると、箱体の耐圧荷重が低下するおそれがある。
【００４１】
なお、中央座屈薄肉帯８ａは、長さ面パネル１の左右方向の中央に位置するとよい。つまり、中央座屈薄肉帯８ａの中心と長さ面パネル１の左右方向の中心とが一致することが好ましい。このように中央座屈薄肉帯８ａを長さ面パネル１の左右方向の中央に位置させることで、箱体の蓋部が底部に対して傾いて変形することを抑止できる。
【００４２】
また、中央座屈薄肉帯８ａは、長さ面パネル１の上下方向中央部に位置するが、その上下方向の位置（中央座屈薄肉帯８ａの中心線の位置）としては、長さ面パネル１の下方から長さ面パネル１の上下方向の全長に対し４０％以上６０％以下であるとよい。このように中央座屈薄肉帯８ａの上下方向の位置を上記範囲内とすることで、より確実に外面側が窪むように箱体を変形させることができるので、胴膨れの抑止効果が高められる。
【００４３】
（上側座屈薄肉帯及び下側座屈薄肉帯）
一対の上側座屈薄肉帯８ｂは、長さ面パネル１の外面に設けられ、図２に示すように、中央座屈薄肉帯８ａの両端をそれぞれの起点として長さ面パネル１の上方向に延びる薄肉帯である。
【００４４】
一対の上側座屈薄肉帯８ｂは、長さ面パネル１の上方向にいくに従って、その離間距離が増大する。つまり、一対の上側座屈薄肉帯８ｂは、互いに上側座屈薄肉帯８ｂの端点から左右方向外側に向かって延びている。
【００４５】
一対の上側座屈薄肉帯８ｂの延伸方向は、特に限定されないが、図１に示すように、上側座屈薄肉帯８ｂが長さ面パネル１の各頂点へ向かって延びていることが好ましい。
【００４６】
一対の下側座屈薄肉帯８ｃは、長さ面パネル１の外面に設けられ、図２に示すように、中央座屈薄肉帯８ａの両端をそれぞれの起点として長さ面パネル１の下方向に延びる薄肉帯である。
【００４７】
一対の下側座屈薄肉帯８ｃは、下方向に延びる点以外は、一対の上側座屈薄肉帯８ｂと同様に構成できる。一対の上側座屈薄肉帯８ｂと同様に、下側座屈薄肉帯８ｃが長さ面パネル１の各頂点へ向かって延びていることが好ましい。
【００４８】
また、一対の下側座屈薄肉帯８ｃは、中央座屈薄肉帯８ａの両端を結ぶ直線を対称の軸として上下対称に構成されるとよい。
【００４９】
一対の上側座屈薄肉帯８ｂ及び一対の下側座屈薄肉帯８ｃは、長さ面パネル１の両側縁に至っていないとよい。つまり、上側座屈薄肉帯８ｂの終点（中央座屈薄肉帯８ａの端点でもある起点とは反対側の端点）及び下側座屈薄肉帯８ｃの終点は、長さ面パネル１の両側縁に至っていないとよい。このように上側座屈薄肉帯８ｂ及び下側座屈薄肉帯８ｃを長さ面パネル１の両側縁に至らないようにすることで、長さ面パネル１の両側縁部が柱として機能するので、組み立てられる箱体の胴膨れを抑止しつつ、耐圧荷重の低下を抑止できる。
【００５０】
上側座屈薄肉帯８ｂ及び下側座屈薄肉帯８ｃが長さ面パネル１の各頂点へ向かって延びている場合、上側座屈薄肉帯８ｂ及び下側座屈薄肉帯８ｃの先端と、その延伸方向にある長さ面パネル１の頂点との距離（図１のＤ）の下限としては、３０ｍｍが好ましく、３５ｍｍがより好ましい。一方、上記距離Ｄの上限としては５０ｍｍが好ましく、４５ｍｍがより好ましい。上記距離Ｄが上記下限未満であると、箱体の耐圧荷重が低下するおそれがある。逆に、上記距離Ｄが上記上限を超えると、胴膨れの抑止効果が不十分となるおそれがある。
【００５１】
（座屈誘導線）
座屈誘導線８ｄは、荷重が加わった際に折れ曲がり、破線状の罫線であることにより均等に潰れて収容する物品の高さと箱体の内部空間の高さとの差を吸収する。これにより天面が安定するので、胴膨れの抑止効果を高められる。
【００５２】
座屈誘導線８ｄの長さ面パネル１の上縁からの距離の下限としては、５ｍｍが好ましく、５．５ｍｍがより好ましい。一方、上記距離の上限としては、７ｍｍが好ましく、６．５ｍｍがより好ましい。上記距離が上記下限未満であると、荷重が加わっても折れ曲がり難く、胴膨れの抑止効果を高められないおそれがある。逆に、上記距離が上記上限を超えると、上記薄肉帯を設けるスペースが減少し、胴膨れの抑止効果を十分に得られないおそれがある。
【００５３】
＜箱体の組立方法＞
当該箱シートを箱体に組み立てる箱体の組立方法は、四角筒状部組立工程と、底部組立工程と、蓋部組立工程とを備える。
【００５４】
（四角筒状部組立工程）
四角筒状部組立工程では、左右方向に交互に連接される一対の長さ面パネル１及び一対の幅面パネル２を四角筒状に組み立てる。
【００５５】
具体的には、以下の手順による。まず、左右方向に交互に連接される一対の長さ面パネル１及び一対の幅面パネル２のうち、一方の側端に位置する長さ面パネル１を、隣接する幅面パネル２の内面側に折り重ね、他方の側端に位置する幅面パネル２を、隣接する長さ面パネル１の内面側に折り重ねる。そして糊代部７を幅面パネル２の左右方向他方側（長さ面パネル１との連接側と反対側）の内面に貼着する。これにより、一対の長さ面パネル１及び一対の幅面パネル２が無端状に接続される。当該箱用シートは、この状態でユーザ（箱体の使用者）に提供される。幅面パネル２への糊代部７の貼着は、例えば接着剤、ステープラー等を用いて行うことができる。
【００５６】
次に、無端状に接続された一対の長さ面パネル１及び一対の幅面パネル２を四角筒状に広げる。これにより、箱体の側面が四角筒状に組み立てられる。
【００５７】
（底部組立工程）
底部組立工程では、一対の底外フラップ５及び一対の底内フラップ６により箱体の底部を組み立てる。
【００５８】
具体的には、以下の手順による。まず、一対の底内フラップ６を幅面パネル２に対して直角になるように折り曲げる。次に、その外面に接するように一対の底外フラップ５を長さ面パネル１に対して直角になるように折り曲げる。一対の底外フラップ５は、先端縁同士を突き合わせ可能に構成されているので、この突き合わせ部に例えば封函テープを貼着することで、底部が形成される。
【００５９】
（蓋部組立工程）
蓋部組立工程では、一対の蓋外フラップ３及び一対の蓋内フラップ４により箱体の蓋部を組み立てる。
【００６０】
まず、梱包する対象物を上記底部及び上記四角筒状部で囲まれる空間に収容する。上記対象物としては、ボトル及び缶が好ましい。つまり、当該箱シートは、ボトル又は缶の梱包に用いられるとよい。当該箱用シートを組立てなる箱体は、ボトル又は缶の梱包に好適に用いることができる。
【００６１】
次に、蓋部を形成する。蓋部の形成方法は、底部組立工程と同様の手順で行うことができる。
【００６２】
＜箱体の胴膨れ抑止機能＞
当該箱シートを用いた箱体の胴膨れ抑止機能について図３を用いて詳説する。
【００６３】
複数の上記箱体を積み重ね、その重さ（荷重）が下方の箱体に加わった場合、荷重が一定の大きさ（耐圧荷重）以下であれば、上記箱体は変形しないと考えられる。つまり、箱体の胴膨れは生じない。
【００６４】
一方、荷重が一定の大きさを超えると、上記箱体には変形が生じ得る。荷重は上方から加わるが、この荷重によりまず座屈誘導線８ｄが折り曲げられ、さらに荷重が、長さ面パネル１の上下方向に対して斜めに形成されている一対の上側座屈薄肉帯８ｂ及び一対の下側座屈薄肉帯８ｃを折り曲げる力として均等に伝わる。その力は、一対の上側座屈薄肉帯８ｂ及び一対の下側座屈薄肉帯８ｃが斜めであるがゆえに左右方向に分散され、中央座屈薄肉帯８ａを左右方向の位置によらず均等に折り曲げようとする。従って、上記箱体に変形が生じ得るような荷重が加わると、中央座屈薄肉帯８ａ、一対の上側座屈薄肉帯８ｂ及び一対の下側座屈薄肉帯８ｃは、一様に折れ曲がる。
【００６５】
ここで、中央座屈薄肉帯８ａ、一対の上側座屈薄肉帯８ｂ及び一対の下側座屈薄肉帯８ｃの折れ曲がる方向を考える。これらの薄肉帯は、長さ面パネル１の外面側から筋押しして形成される罫線により構成されるので、長さ面パネル１の外面に薄肉帯による窪みが存在する。この状態で外面に平行な力である荷重が加わると、薄肉帯の窪みのある側が先に曲がり始めるから、長さ面パネル１全体としては外面が窪むように曲がることとなる。つまり、長さ面パネル１は胴膨れする方向とは逆の方向へ曲がるから、箱体の胴膨れが抑止される。
【００６６】
なお、長さ面パネル１は外面が窪むように曲がるため、箱体の高さはそれに応じて減少することとなる。しかし、箱体の梱包物Ｃがボトルや缶である場合、長さ面パネル１は外面の窪みは、長さ面パネル１が梱包物Ｃの側面に当接すると止まる。あるいは、箱体の蓋部が梱包物Ｃの上面に当接しても止まる。この現象は胴膨れが生じる場合となんら変わるものではない。さらに、胴膨れは箱体に変形が生じ得るような荷重が加わる場合、つまり梱包物Ｃがボトルや缶のように重量物である場合に生じ易いから、当該箱シートを用いた箱体の胴膨れ抑止機能は、ボトル又は缶の梱包に用いる場合に、特に効果的に作用すると言える。
【００６７】
＜利点＞
本考案の箱用シートは、一対の長さ面パネル１がその外面に座屈誘導部８を有し、この座屈誘導部８が一対の長さ面パネル１の上下方向中央部に左右方向へ延びる中央座屈薄肉帯８ａを備える。中央座屈薄肉帯８ａは、長さ面パネル１の外面に左右方向に延びるように設けられているので、当該箱用シートを組立てなる箱体に上部から荷重が加わった際、長さ面パネル１がこの中央座屈薄肉帯８ａを折れ目として外面側が窪み内側へ凹むように曲がり易い。従って、当該箱用シートを組立てなる箱体は、胴膨れを抑止できる。また、当該箱用シートは、長さ面パネル１に新たに中央座屈薄肉帯８ａを設けることで構成できるので、箱用シート自体の形状を変えるものではなく、またその箱体への組立て方法を変えるものでもない。従って、当該箱用シートは、生産性が高く、かつ箱体に容易に組立可能である。
【００６８】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００６９】
上記実施形態では、座屈誘導部が一対の上側座屈薄肉帯及び一対の下側座屈薄肉帯を備える場合を説明したが、座屈誘導部がその一方又は両方を備えない箱用シートも本考案の意図するところである。
【００７０】
上記実施形態では、座屈誘導部が、長さ面パネルの上縁からの距離が等しい座屈誘導線を備える場合を説明したが、長さ面パネルの下縁からの距離が等しい座屈誘導線を備えてもよいし、長さ面パネルの上縁からの距離が等しい座屈誘導線と長さ面パネルの下縁からの距離が等しい座屈誘導線とを両方備えてもよい。
【００７１】
また、座屈誘導部が座屈誘導線を備えない構成も本稿案の意図するところである。
【００７２】
上記実施形態では、箱用シートが糊代部を有し、この糊代部への貼着により箱体を組み立てる構成を説明したが、箱体を組み立てる方法はこれに限定されない。例えば封函テープの貼着により構成することもできる。この場合、上記糊代部は不要とできる。
【００７３】
また、箱体の底部を形成するための具体的な構成は上記実施形態の構成に限定されるものではない。例えば当該箱用シートは、一方の長さ面パネルの下縁から延出する１つの底フラップによって底部が形成されてもよい。
【産業上の利用可能性】
【００７４】
以上のように、本考案の箱用シートは、生産性が高く、かつ箱体に容易に組立可能でありながら、胴膨れを抑止できる。
【符号の説明】
【００７５】
１  長さ面パネル
２  幅面パネル
３  蓋外フラップ
４  蓋内フラップ
５  底外フラップ
６  底内フラップ
７  糊代部
８  座屈誘導部
８ａ  中央座屈薄肉帯
８ｂ  上側座屈薄肉帯
８ｃ  下側座屈薄肉帯
８ｄ  座屈誘導線
Ｃ  梱包物
【図１】
0003223212.tif 000003
【図２】
0003223212.tif 000004
【図３】
0003223212.tif 000005
【手続補正書】
【提出日】令和1年7月24日(2019.7.24)
【手続補正１】
【補正対象書類名】実用新案登録請求の範囲
【補正対象項目名】全文
【補正方法】変更
【補正の内容】
【実用新案登録請求の範囲】
【請求項１】
１枚のシート材から形成され、
左右方向に交互に連接され、四角筒状に組み立てられる一対の長さ面パネル及び一対の幅面パネルと、
上記一対の長さ面パネルの上縁から延出する一対の蓋外フラップと、
上記一対の幅面パネルの上縁から延出する一対の蓋内フラップと、
上記一対の長さ面パネルの下縁から延出する一対の底外フラップと、
上記一対の幅面パネルの下縁から延出する一対の底内フラップと
を備え、箱型に組立可能な箱用シートであって、
上記一対の長さ面パネルが、その外面に座屈誘導部を有し、
上記座屈誘導部が上記一対の長さ面パネルの上下方向中央部に左右方向へ延びる中央座屈薄肉帯を備える箱用シート。
【請求項２】
上記中央座屈薄肉帯が上記長さ面パネルの両側縁に至っていない請求項１に記載の箱用シート。
【請求項３】
上記座屈誘導部が、上記一対の長さ面パネルの上縁又は下縁からの距離が等しい破線状の罫線からなる座屈誘導線をさらに備える請求項１又は請求項２に記載の箱用シート。
【請求項４】
上記座屈誘導部が、
上記中央座屈薄肉帯の両端から上方かつ左右方向外側に延びる一対の上側座屈薄肉帯と、
上記中央座屈薄肉帯の両端から下方かつ左右方向外側に延びる一対の下側座屈薄肉帯と
をさらに備える請求項１、請求項２又は請求項３に記載の箱用シート。
【請求項５】
上記上側座屈薄肉帯及び上記下側座屈薄肉帯が上記長さ面パネルの各頂点へ向かって延びており、
上記上側座屈薄肉帯及び上記下側座屈薄肉帯の先端と、その延伸方向にある上記長さ面パネルの頂点との距離が３０ｍｍ以上５０ｍｍ以下である請求項４に記載の箱用シート。